(57)【要約】      （修正有）【課題】仏壇の購入意欲を向上させる。【解決手段】祭壇装置１０は、筐体２０と、筐体内に設置された第１のディスプレイと、筐体２０のいずれかに設置されたスピーカー５０と、第１のディスプレイで表示するための第１の映像を含む第１の映像データを再生し、再生した第１の映像信号を第１のディスプレイに供給し、また、スピーカー５０から音を発するための音データを再生し、再生した音声信号をスピーカー５０に供給する再生装置と、を備える。【選択図】図１
2014104232.tif 000002
【特許請求の範囲】
【請求項１】
祭壇装置であって、
筐体と、
前記筐体内に設置された第１のディスプレイと、
前記筐体のいずれかに設置されたスピーカーと、
前記第１のディスプレイで表示するための第１の映像を含む第１の映像データを再生し、再生した第１の映像信号を前記第１のディスプレイに供給し、また、前記スピーカーから音を発するための音データを再生し、再生した音声信号を前記スピーカーに供給する再生装置と、
を備えることを特徴とする祭壇装置。
【請求項２】
請求項１記載の祭壇装置であって、
さらに、前記筐体内の前記第１のディスプレイの前面に設置され、第２の映像を表示するとともに、前記第１の映像に前記第２の映像が重ね合された状態を観察できるように、前記第１の映像を透過する平面状表示部を有する第２のディスプレイを備え、
前記再生装置は、前記第１の映像データを再生し、再生した第１の映像信号を前記第１のディスプレイに供給するとともに、前記第２の映像を含む第２の映像データを再生し、再生した第２の映像信号を前記第２のディスプレイに供給することを特徴とする祭壇装置。
【請求項３】
請求項１または請求項２に記載の祭壇装置であって、
ネットワークを介して通信を行うインタフェースを備え、
前記ネットワークを介して供給される映像を、前記第１のディスプレイまたは前記第２のディスプレイに表示することを特徴とする祭壇装置。
【請求項４】
請求項１ないし請求項３のいずれか一項に記載の祭壇装置であって、
前記筐体の前面に設けられた扉の開閉に応じて、前記祭壇装置の起動および停止を行うことを特徴とする祭壇装置。
【請求項５】
請求項１ないし請求項４のいずれか一項に記載の祭壇装置であって、
前記筐体の前面に設けられた扉の開閉を検知する開閉検知センサーにより、前記扉の開閉を検知し、前記扉の開閉に応じて前記祭壇装置の起動および停止を行う、または、前記筐体の前面のいずれかの位置に設けられた人感センサーにより、前記祭壇装置の前に立つ人の有無を検知し、前記祭壇装置の前に立つ人の有無に応じて前記祭壇装置の起動および停止を行う、ことを特徴とする祭壇装置。
【請求項６】
筐体と、前記筐体内に設置された第１のディスプレイと、前記筐体のいずれかに設置されたスピーカーと、を備える祭壇装置に動作を実行させるコンピュータープログラムであって、
前記第１のディスプレイで表示するための第１の映像を含む第１の映像データを再生し、再生した第１の映像信号を前記第１のディスプレイに供給する機能と、
前記スピーカーから音を発するための音データを再生し、再生した音声信号を前記スピーカーに供給する機能と、
を前記祭壇装置に実行させるコンピュータープログラム。
【発明の詳細な説明】
【技術分野】
【０００１】
本発明は、仏壇等の祭壇装置に関するものである。
【背景技術】
【０００２】
近年、住宅事情の変化に伴って、小型な仏壇（例えば、特許文献１参照）や、フローリングのリビングルーム等の室内の景観に合わせたモダンな家具調の仏壇（例えば、特許文献２参照）が開発されている。
【先行技術文献】
【特許文献】
【０００３】
【特許文献１】特開２０００−７０１１２号公報
【特許文献２】特開２０００−５０３９号公報
【発明の概要】
【発明が解決しようとする課題】
【０００４】
しかしながら、上記のような小型な仏壇や家具調の仏壇においても、本尊を置く場所や位牌を置く場所、燭台や花立て、香炉などの種々の仏具を置く場所等のスペースを確保するための外観サイズを要する。このため、旧来の大型の仏壇に比べれば狭いスペースに設置可能であるが、外観サイズに相応した十分な広さの設置場所を要する。また、上記のような小型な仏壇や家具調の仏壇は、旧来の大型の仏壇に比べれば安価であるといっても、種々の仏具等を用意する必要性があり、これらを含めると相応に高価となる。また、時代の変化に応じた現代の人の思考や感覚の変化、世情の変化等に伴って、高価な仏壇を購入し室内に仏壇の設置場所を優先して確保することよりも、仏壇を購入しないことを選択する家庭が増加している。そこで、現代の人の思考や感覚に合致させて仏壇の購入意欲が向上するように、更に、室内の景観へ合致させることや、省スペース化、使い勝手の向上等、新しい価値観の付加が望まれていた。なお、以上説明した課題は、仏壇だけでなく、神棚や聖壇、聖卓等の種々の祭壇に共通する課題である。
【課題を解決するための手段】
【０００５】
本発明は、上述の課題の少なくとも一部を解決するためになされたものであり、以下の形態として実現することが可能である。
【０００６】
（１）本発明の一形態によれば、祭壇装置が提供される。この祭壇装置は、筐体と；前記筐体内に設置された第１のディスプレイと；前記筐体のいずれかに設置されたスピーカーと；前記第１のディスプレイで表示するための第１の映像を含む第１の映像データを再生し、再生した第１の映像信号を前記第１のディスプレイに供給し、また、前記スピーカーから音を発するための音データを再生し、再生した音声信号を前記スピーカーに供給する再生装置と；を備える。この形態の祭壇装置によれば、シンプルな構成で祭壇装置を構成することができるので、祭壇装置の外観を室内の景観に合致させることや、省スペース化等が容易に可能である。また、映像の表示や、音声あるいは音楽等の音の発生等を効果的に行うことができ、使い勝手の向上を図ることができ、新しい価値観の付加を図ることが可能である。これにより、現代の人の思考や感覚に合致させて祭壇装置の購入意欲の向上を図ることができる。
【０００７】
（２）上記形態の祭壇装置において、さらに、前記筐体内の前記第１のディスプレイの前面に設置され、第２の映像を表示するとともに、前記第１の映像に前記第２の映像が重ね合された状態を観察できるように、前記第１の映像を透過する平面状表示部を有する第２のディスプレイを備え、前記再生装置は、前記第１の映像データを再生し、再生した第１の映像信号を前記第１のディスプレイに供給するとともに、前記第２の映像を含む第２の映像データを再生し、再生した第２の映像信号を前記第２のディスプレイに供給するようにしてもよい。この形態の祭壇装置によれば、第１の映像に第２の映像を重ね合わせて表示することができるので、立体的な映像の表示や種々の映像の組み合わせ表示など、より効果的な映像の表示が可能であり、より使い勝手の向上を図ることができ、より新しい価値観の付加を図ることが可能である。これにより、現代の人の思考や感覚により合致させて祭壇装置の購入意欲の向上を図ることができる。
【０００８】
（３）上記形態の祭壇装置において、ネットワークを介して通信を行うインタフェースを備え、前記ネットワークを介して供給される映像を、前記第１のディスプレイまたは前記第２のディスプレイに表示するようにしてもよい。この形態の祭壇装置によれば、祭壇装置の前に居ながら、お墓や寺院等の種々の映像を視ることが可能であり、より使い勝手の向上を図ることができ、より新しい価値観の付加を図ることが可能である。
【０００９】
（４）上記形態の祭壇装置において、前記筐体の前面に設けられた扉の開閉に応じて、前記祭壇装置の起動および停止を行うようにしてもよい。この形態の祭壇装置によれば、扉の開閉に応じて自動的に映像表示や音の発生等の祭壇装置の動作の開始や停止等の種々の動作を自動的に行うことが可能であり、より使い勝手の向上を図ることができ、より新しい価値観の付加を図ることが可能である。
【００１０】
（５）上記形態の祭壇装置において、前記筐体の前面に設けられた扉の開閉を検知する開閉検知センサーにより、前記扉の開閉を検知し、前記扉の開閉に応じて前記祭壇装置の起動および停止を行う、または、前記筐体の前面のいずれかの位置に設けられた人感センサーにより、前記祭壇装置の前に立つ人の有無を検知し、前記祭壇装置の前に立つ人の有無に応じて前記祭壇装置の起動および停止を行うようにしてもよい。この形態の祭壇装置によれば、扉の開閉に応じて、あるいは、祭壇装置の前に立つあるいは仏壇の前から離れるに応じて、自動的に映像表示や音の発生等の祭壇装置の動作の開始や停止等の種々の動作を自動的に行うことが可能であり、より使い勝手の向上を図ることができ、より新しい価値観の付加を図ることが可能である。
【００１１】
本発明は、種々の形態で実現することが可能であり、例えば、祭壇装置、祭壇装置に実行させるコンピュータープログラム等の種々の形態で実現することが可能である。
【図面の簡単な説明】
【００１２】
【図１】本発明の一実施形態としての仏壇装置の外観を示す概略斜視図である。
【図２】図１に示した仏壇装置を機能的に示した説明図である。
【図３】２つのディスプレイで表示される映像の例を示す説明図である。
【図４】他の実施形態としての仏壇装置の外観を示す概略斜視図である。
【発明を実施するための形態】
【００１３】
図１は、本発明の一実施形態としての仏壇装置の外観を示す概略斜視図である。なお、図１は、仏壇装置１０がタンス等の上に配置された状態を示している。この仏壇装置１０は、前面が開口された家具調の筐体２０と、開口された前面側から見て、筐体２０内の後ろ側に固定配置された後側ディスプレイ３０Ａおよび後側ディスプレイ３０Ａの前面に固定配置された前側ディスプレイ３０Ｂと、筐体２０の内部に設けられたコントローラー４０と、を備える。
【００１４】
２つのディスプレイ３０Ａ，３０Ｂの表示面３２Ａ，３２Ｂを覆う枠３４Ａ，３４Ｂの天井側および床側の部分は、筐体２０の天井側および床側に設けられた化粧台部２２，２４に収納されるように固定されている。下側の化粧台部２４の前面には、左右一対のスピーカー５０、マイクロフォン５２、カメラ５４のレンズ５４ａ、人感センサー５６、および、香り発生装置６０の発生口６０ａが、筐体の内部から前方へ向かって設けられている。なお、マイクロフォン５２、カメラ５４のレンズ５４ａ、および、人感センサー５６の配置位置は筐体の内部から前方へ向かって設けられていれば、その他特に限定はなく、例えば、天上側の化粧台部２２に設けられていても良い。また、左右一対のスピーカー５０および香り発生装置６０の発生口６０ａは、筐体の内部から外部へ向かって設けられていれば、その他特に限定はなく、前面でなくても側面であっても良い。
【００１５】
筐体２０の開口部の前面の両側には左右一対の扉２６が設けられている。この扉２６は、観音扉であるが、折扉や引き扉などの他の方式の扉を用いてもよい。扉２６の下部の筐体２０内には、モーターやギアー等で構成される扉２６の開閉機構７０を備えている。なお、扉の開閉を手動とする場合には、開閉機構７０は省略可能である。また、扉２６に対応する筐体２０の枠部分には、扉２６の開閉を検知する開閉センサー５８が設けられている。
【００１６】
仏壇装置１０の付属として、コントローラー４０を介して仏壇装置１０の動作を制御するリモートコントローラー（「リモコン」とも呼ぶ）１２、および、コントローラー４０を介してりんを鳴らす電子式のりん棒１４を備えている。
【００１７】
仏壇装置１０は、以下で説明するように、コントローラー４０の制御に従って、２つのディスプレイ３０Ａ，３０Ｂによる映像表示や、スピーカー５０からの音の発生、香り発生装置６０の発生口６０ａからの香りの発生等が実行される。
【００１８】
図２は、図１に示した仏壇装置を機能的に示した説明図である。仏壇装置１０の動作を制御するコントローラー４０は、システム制御部１１０と、インタフェース部（「Ｉ／Ｆ部」）１２０と、電源駆動部１３０と、メディアリーダー１４０と、データ記憶部１５０と、監視部１６０と、モーター駆動部１７０と、映像出力部１８０Ａ，１８０Ｂと、音声出力部１９０と、映像入力部２００と、音声入力部２１０と、香り発生駆動部２２０と、を備えている。
【００１９】
システム制御部１１０は、あらかじめ設定された動作手順に従って各機能ブロックの動作を制御する。Ｉ／Ｆ部１２０は、専用の無線通信，ｂｌｕｅｔｏｏｔｈ，ＩＥＥＥ８０２等の無線通信インタフェースや、イーサーネット，ＵＳＢ等の有線通信インタフェース、ＤＶＩ，ＨＤＭＩ等の映像インタフェース、など種々の規格に対応するインタフェースである。そして、Ｉ／Ｆ部１２０には、それぞれのインタフェースに対応するように、アンテナや端子（不図示）が設けられている。
【００２０】
仏壇装置１０は、Ｉ／Ｆ部１２０を介して、無線通信により、リモコン１２と接続される。リモコン１２としては、専用のリモコンや、スマートフォン（多機能形態電話）のような携帯通信端末等を用いることができる。利用者がリモコン１２で所望の指示を選択することにより、リモコン１２からその指示を示す信号がＩ／Ｆ部１２０を介してシステム制御部１１０に送信され、その指示に応じた動作がシステム制御部１１０の制御によって実行される。
【００２１】
また、仏壇装置１０は、Ｉ／Ｆ部１２０を介して、無線通信により、りん棒１４と接続される。りん棒１４には、例えば、加速度センサーのような、りん棒が振られたことを検知するセンサーや、無線通信機能等、設けられている（不図示）。利用者がりん棒１４を振ると、その検知信号がＩ／Ｆ部１２０を介してシステム制御部１１０に送信され、システム制御部１１０によって音声出力部１９０の動作が制御され、りんの音がスピーカー５０から出力される。
【００２２】
また、仏壇装置１０は、Ｉ／Ｆ部１２０の無線通信インタフェースあるいは有線通信インタフェースにより、種々の電子機器と接続可能である。例えば、仏壇装置１０は、無線ＬＡＮを介してルーター８０に接続され、ルーター８０を介してインターネットＩＮＴに接続される。また、仏壇装置１０は、無線ＬＡＮや有線ＬＡＮ、ＵＳＢ等を介して、外部のメディアプレーヤーやスマートフォン等と接続可能である。また、仏壇装置１０は、Ｉ／Ｆ部１２０の映像インタフェースや音声インタフェースにより、メディアプレーヤーやスマートフォン等から映像信号や音声信号を受信することが可能である。
【００２３】
電源駆動部１３０は、システム制御部１１０の制御によって、各機能ブロックや２つのディスプレイ３０Ａ，３０Ｂへの電源供給を制御する。なお、２つのディスプレイ３０Ａ，３０Ｂの電源ケーブルは、図示しない電源テーブルに接続されている。この電源テーブルには、商用電源の供給と遮断を切り換える電源スイッチが設けられている。電源駆動部１３０は、この電源スイッチのオン／オフを制御することにより、２つのディスプレイ３０Ａ，３０Ｂへの電源供給を制御する。
【００２４】
メディアリーダー１４０は、システム制御部１１０の制御によって、メモリカードに格納された映像や音声のデータを読み出す装置である。読み出されたデータは、データ記憶部１５０に格納される。また、読み出されたデータは、後述する映像出力部１８０Ａ，１８０Ｂや音声出力部１９０に送られて再生される。
【００２５】
監視部１６０は、人感センサー５６からの検知信号を受信し、仏壇装置１０の前に立つ利用者が居るか否かを監視するとともに、開閉センサー５８からの検知信号を受信し、扉２６の開閉を監視し、システム制御部１１０に監視結果を送信する。人感センサー５６や開閉センサー５８としては、赤外線センサー等の種々のセンサーを用いることができる。システム制御部１１０は、監視結果に基づいて、種々の動作を制御することができる。例えば、扉２６が閉じられた状態から開けられた状態となった場合には、電源駆動部１３０を制御して電源スイッチをオンにするとともに、停止していた機能ブロックの動作を開始して、仏壇装置の動作を起動することができる。また、扉２６が開けられた状態から閉じられた状態となった場合には、各機能ブロックの動作を停止するとともに、電源スイッチをオフとして、仏壇装置の動作を停止することができる。さらにまた、あらかじめ定められた一定時間の間、扉２６が開いたままの状態で、仏壇装置の前に人が居ない場合には、各機能ブロックの動作を停止するとともに、電源スイッチをオフとして、仏壇装置の動作を停止することができる。また、扉２６が開いたままで仏壇装置の各種動作が停止し電源スイッチがオフされている場合に、仏壇装置の前に人が立った際には、電源スイッチをオンとするとともに、停止していた機能ブロックの動作を開始して、仏壇装置の動作を起動することができる。なお、タイマーで、扉が開いても良い時間をあらかじめ設定された時間に限定するように、例えば、夜１１時〜朝６時までは扉が開かないようにしてもよい。
【００２６】
モーター駆動部１７０は、システム制御部１１０の制御によって、開閉機構７０に含まれるモーターを駆動して扉２６の開閉を行う。例えば、利用者がリモコン１２で仏壇装置１０の起動ボタンを押すと、システム制御部１１０によって電源駆動部１３０の動作が制御され、電源がオンとなって起動を開始するとともに、扉２６が閉じた状態の場合には、モーター駆動部１７０が開閉機構７０を駆動することにより、扉２６が開けられる。
【００２７】
映像出力部１８０Ａ，１８０Ｂは、システム制御部１１０の制御によって、データ記憶部１５０に記憶されている映像データや、メディアリーダー１４０で読み出されたメモリカードに格納されている映像データを再生し、ディスプレイ３０Ａ，３０Ｂに入力可能な映像信号として出力する。また、映像出力部１８０Ａ，１８０Ｂは、Ｉ／Ｆ部１２０を介して受信された映像信号をディスプレイ３０Ａ，３０Ｂに入力可能な映像信号として出力する。映像出力部１８０Ａから出力された映像信号は、後側ディスプレイ３０Ａに送られて表示される。映像出力部１８０Ｂから出力された映像信号は、前側ディスプレイ３０Ｂに送られて表示される。
【００２８】
なお、後側ディスプレイ３０Ａは、液晶ディプレイや有機ＥＬディスプレイ、プラズマディスプレイ等のフラットパネルディスプレイである。また、前側ディスプレイ３０Ｂは、「透明液晶ディスプレイ」とも呼ばれるフラットパネルディスプレイであり、その表示面３２Ｂに映像を表示するとともに、後側ディスプレイ３０Ａの表示面３２Ａに表示された映像を透過して表示する平板状表示部を有するディスプレイである。この前側ディスプレイ３０Ｂとしては、例えば、サムスン電子社やＳＫＲテクノロジー社等の種々の透明液晶ディスプレイを用いることができる。また、前側ディスプレイ３０Ｂとしては、平板状表示部としての透明スクリーン、および、透明スクリーン上に映像を投影するプロジェクター、を用いて構成することも可能である。
【００２９】
音声出力部１９０は、システム制御部１１０の制御によって、データ記憶部１５０に記憶されている音声データや、メディアリーダー１４０で読み出されたメモリカードに格納されている音声データを再生し、スピーカー５０に入力可能な音声信号として出力する。また、音声出力部１９０は、Ｉ／Ｆ部１２０を介して受信された音声信号をスピーカー５０に入力可能な音声信号として出力する。音声出力部１９０から出力された音声信号は、スピーカー５０に送られて鳴らされる。なお、「音声」は、単に、声だけでなく、音楽や、効果音等の種々の音も含む意味で用いられている。
【００３０】
映像入力部２００は、システム制御部１１０の制御によって、カメラ５４の動作を制御して仏壇装置の前に居る利用者を撮影する。音声入力部２１０は、システム制御部１１０の制御によって、マイクロフォン５２の動作を制御して仏壇装置１０の前に居る利用者の声等の音声を入力する。撮影した映像や入力された音声は、Ｉ／Ｆ部１２０からインターネットを介して、通信を行っている相手先に送信することができる。
【００３１】
香り発生駆動部２２０は、香り発生装置６０を駆動して、例えば、線香の燃える香りやお香等の種々の香りを発生する。香り発生装置６０としては、例えば、香り発生機シルヴェールＴ−１０等の種々の香り発生機を用いることができる。
【００３２】
仏壇装置１０の起動は、上記したように、利用者がリモコン１２を操作して、扉の開ボタンあるいは起動ボタンを押すことや、利用者が扉２６を手で開いて開閉センサー５８で扉２６が開かれたことが検知されること、扉２６が開かれた状態で利用者が仏壇装置１０の前に立ったことが人感センサー５６で検知されること、等によって開始される。
【００３３】
仏壇装置１０の起動が実行されると、システム制御部１１０によって、あらかじめ設定されている手順や条件に従って映像出力部１８０Ａ，１８０Ｂや音声出力部１９０、香り発生駆動部２２０が制御され、ディスプレイ３０Ａ，３０Ｂでの映像表示やスピーカー５０からの音の発生、香り発生装置６０からの香りの発生等が実行される。
【００３４】
映像出力部１８０Ａ，１８０Ｂによる映像の表示は、以下のように実行される。すなわち、システム制御部１１０からの指示に従って、映像出力部１８０Ａ，１８０Ｂは、データ記憶部１５０に記憶されている映像データ、あるいは、メディアリーダー１４０にセットされているメモリカードに記憶されている映像データ、を読み出して再生し、ディスプレイ３０Ａ，３０Ｂに再生した映像信号を出力する。また、映像出力部１８０Ａ，１８０Ｂは、外部のメディアプレーヤーからＩ／Ｆ部１２０を介して供給された映像信号を、ディスプレイ３０Ａ，３０Ｂに出力する。ディスプレイ３０Ａ，３０Ｂでは、映像出力部１８０Ａ，１８０Ｂから出力された映像信号に応じた映像を表示する。なお、外部のコンピユーターやメディアプレーヤーとＩ／Ｆ部１２０とは、例えば、ＤＶＩ、ＨＤＭＩ等の映像の信号規格に対応したコネクタおよびケーブルを介して接続される。また、メディアプレーヤーとしては、ＤＶＤプレーヤーや、ブルーレイプレーヤー、メモリプレーヤー、スマートフォン等が適用される。
【００３５】
図３は、２つのディスプレイで表示される映像の例を示す説明図である。利用者は、後側ディスプレイ３０Ａで表示される映像（図３（Ａ））の前に、前側ディスプレイ３０Ｂで表示される映像（図３（Ｂ）が重ね合わされた映像（図３（Ｃ））を視ることができる。２つのディスプレイ３０Ａ，３０Ｂで映像を重ね合わせて表示することにより、映像を立体的に表示することができる。なお、いずれか一方のディスプレイにのみ映像を表示させることも可能である。
【００３６】
ディスプレイ３０Ａ，３０Ｂで表示される映像としては、ＣＧ（コンピューターグラフィック）映像や実写映像等の種々の映像が考えられる。例えば、前側ディスプレイ３０Ｂには仏像（本尊）の実写映像を主たる映像として表示し、後側ディスプレイ３０Ａには本尊の映像に対する背景や本尊の両脇に配置される仏像（脇侍仏）の実写映像を表示することができる。また、遺影や位牌、お花、等の種々の映像を単独あるいは複数の組み合わせで表示することもできる。また、例えば、砂で描かれた曼荼羅が、風で消されてなくなっていく映像のように、アート性を持たせたＣＧ映像や抽象的なＣＧ映像を表示することも可能である。
【００３７】
音声出力部１９０による音声の出力は、以下のように実行される。すなわち、システム制御部１１０からの指示に従って、音声出力部１９０は、２つのディスプレイ３０Ａ，３０Ｂで表示されている映像に合わせて、データ記憶部１５０に記憶されている音声データ、あるいは、メディアリーダー１４０を介してメモリカードに格納されている音声データ、を読み出して再生し、スピーカー５０に音声信号を出力する。また、音声出力部１９０は、外部のメディアプレーヤーからＩ／Ｆ部１２０を介して供給された音声信号をスピーカー５０に出力する。スピーカー５０では、音声出力部１９０から出力された音声信号に応じた音声を出力する。例えば、スピーカー５０からお経や木魚の音、りんの音等を発し、ディスプレイ３０Ａ，３０Ｂに、本堂内でお経を唱えるお坊様の映像や、出力されたお経の文字を示す映像、お経に対するイメージ映像、お経の現代語訳を示す影像、などを表示することが可能である。
【００３８】
ディスプレイ３０Ａ，３０Ｂで表示される映像や、スピーカー５０から発せられる音声、香り発生装置６０から発せられる香りは、例えば、以下のようにして、あらかじめ選択設定される。すなわち、システム制御部１１０は、コンテンツ選択機能を有しており、データ記憶部１５０やメディアリーダー１４０にセットされたメモリカードに記憶されている種々の映像や音声、香りの情報を選択するためのコンテンツ選択画面を表示する。利用者は、コンテンツ選択画面の中から、後側ディスプレイ３０Ａで表示させたい映像や、前側ディスプレイ３０Ｂで表示させたい映像、発生させた音声、発生させたい香り等を、リモコン１２を操作して選択設定する。これにより、ディスプレイ３０Ａ，３０Ｂで表示される映像や、スピーカー５０から発せられる音、香り発生装置６０から発せられる香りを、あらかじめ動作情報として設定することができる。また、システム制御部１１０は、スケジュール機能を有しており、映像の表示や音の発生、香りの発生を種々組み合わせで実行するように設定することも可能である。
【００３９】
なお、システム制御部１１０は模擬対話機能を有しており、故人の遺影と模擬的に対応することができる。すなわち、システム制御部１１０は、映像出力部１８０Ａ，１８０Ｂ制御して、前側ディスプレイ３０Ｂに故人の遺影を表示する。このとき、システム制御部１１０は、および音声出力部１９０および音声入力部２１０を制御して、マイクロフォン５２を介して入力された音声の内容を認識し、これに応じた内容の回答を、例えば、あらかじめ用意されているデータの中から選択して、音声合成による故人の声を模した音声でスピーカー５０から発する。これにより、故人との模擬的な会話を実現することが可能である。なお、このような模擬対話機能としては、アップル社のＳｉｒｉ等の音声認識秘書機能アプリケーションを利用するようにしてもよい。
【００４０】
また、システム制御部１１０はブラウザー機能を有しており、菩提寺のサーバー９０に接続されたカメラ９２で撮影された本堂内の映像やカメラ９４で撮影されたお墓の映像を、インターネットＩＮＴを介して取得し、単独、あるいは、他の映像と組み合わせてディスプレイ３０Ａ，３０Ｂに表示することも可能である。これにより、仏壇装置の前に居ながら、墓参りが可能であり、菩提寺において行われる法要等に参加することが可能である、また、カメラ５４で撮影した映像およびマイクロフォン５２から入力した音声を、インターネットＩＮＴを介して送信するとともに、送信先の映像および音声を受信して、対話をすることも可能である。
【００４１】
なお、上記したように、システム制御部１１０およびシステム制御部１１０に制御される各機能ブロック１２０〜２２０によって実行される映像表示や、音の発生、香りの発生等の種々の動作は、システム制御部１１０によって、各機能を実現するためのコンピュータープログラムがメモリ（不図示）から読み出されることにより実行可能となる。また、メモリカード等の媒体に格納されているコンピュータープログラムが対応するドライブを介して読み出されることにより実行可能とされるようにしてもよい。なお、メモリに格納されているコンピュータープログラムは、例えば、メモリカード等の媒体に格納されているコンピュータープログラムが対応するドライブを介して読み出されて、また、Ｉ／Ｆ部１２０を介して種々の通信により外部から供給されて、メモリに格納されるようにしてもよい。また、映像や音、香り等の情報は、スマートフォンやメディアプレーヤー等の外部機器から供給されて、映像出力部や音声出力部、香り発生駆動部で利用されるようにすることも可能である。
【００４２】
以上説明した仏壇装置では、ご本尊や位牌、種々の仏具（燭台や、花立て、香炉等）に代えて、２台のフラットパネルディスプレイを備えて種々の映像を平面的、あるいは、立体的に表示させ、スピーカーから種々の音を発生させ、香り発生装置から香りを発生させる、等することにより、従来からある本来の仏壇を模擬的に実現することができる。これにより、この仏壇装置は、ディスプレイ等の電子機器を覆う筐体を、現代の人の思考や感覚に合致するように、新しい価値観を付加することや、室内の景観に合致した外観とすること省スペース化、使い勝手の向上等が可能である。
【００４３】
図４は、他の実施形態としての仏壇装置の外観を示す概略斜視図である。図４（Ａ）は、仏壇装置１０Ａが図１に示した仏壇装置１０と同様にタンス等の上に配置された状態を示しており、図４（Ｂ）は、仏壇装置１０Ａが壁掛け配置された状態を示している。この仏壇装置１０Ａは、仏壇装置１０（図１）と比較すればわかるように、扉を省略し、これに応じて開閉機構および開閉センサーを省略して、よりシンプルでモダンな形状を有する筐体２０Ａとしたものである。仏壇装置１０Ａは、扉、開閉機構、および、開閉センサーを省略しているので、図２に示したコントローラー４０を構成する機能ブロックのうち、モーター駆動部１７０が省略される。
【００４４】
なお、スピーカー５０や香り発生装置６０、マイクロフォン５２、カメラ５４、りん棒１４、リモコン１２は、それぞれ、適宜省略することが可能である。また、スピーカー５０や香り発生装置６０、マイクロフォン５２、カメラ５４を省略した場合には、これらに対応する音声出力部１９０や香り発生駆動部２２０、音声入力部２１０、映像入力部２００も、それぞれ適宜省略することが可能である。
【００４５】
また、ディスプレイ３０Ａ，３０Ｂに単純に映像を表示し、音声を出力するだけの構成の場合には、システム制御部１１０で制御される映像出力部１８０Ａ，１８０Ｂおよび音声出力部１９０や、メディアリーダー１４０、データ記憶部１５０は、後側ディスプレイ３０Ａおよび前側ディスプレイ３０Ｂのそれぞれに対応するように、ＤＶＤプレーヤーや、ブルーレイプレーヤー、メモリプレーヤーに置き換えることが可能である。スマートフォンのような映像出力が可能な端末をメディアプレーヤーとして用いることも可能である。
【００４６】
また、上記した実施形態や他の実施形態等の説明では、コントローラー４０を筐体内に備えることを前提としたが、コントローラーを外部に備える構成としてもよい。また、コントローラーを省略することも可能である。なお、コントローラーを省略する場合には、外部のメディアプレーヤーから映像や音声を供給する構成とすればよい。なお、この場合は、映像や音声の選択は、メディアプレーヤーでの操作ボタンやリモコンを用いて実行される。従って、上記実施形態で説明したリモコン１２は省略可能である。
【００４７】
上記実施形態では、映像の表示、音の発生、および、香りの発生機能を備える構成を示したが、例えば、風を発生させる機能を備えるようにしてもよい。
【００４８】
また、上記した実施形態や他の実施形態の仏壇装置は、２つのディスプレイを備える構成であったが、１つのディスプレイのみを有する構成としてもよい。例えば、前側ディスプレイ３０Ｂを省略し、後側ディスプレイ３０Ａだけで図３（Ｃ）のような映像を表示しても良い。この場合に、前側ディスプレイ３０Ｂをオプションとして任意に追加できるように構成されていても良い。コントローラーは２つのディスプレイが設置されているか否かを検出し、これに応じて、図３（Ｃ）の画像を１つのディスプレイのみで表示する第１のモードと、図３（Ａ），（Ｂ）のように２つのディスプレイに分けて表示する第２のモードと、のいずれかを実行するようにしてもよい。
【００４９】
また、上記実施形態では仏壇装置を例として説明したが、これに限定されるものではなく、神棚や聖壇、聖卓等の種々の祭壇装置としても適用することが可能である。
【００５０】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００５１】
１０…仏壇装置
１０Ａ…仏壇装置
１２…リモートコントローラー（リモコン）
１４…りん棒
２０…筐体
２０Ａ…筐体
２２，２４…化粧台部
２６…扉
３０Ａ…後側ディスプレイ
３０Ｂ…前側ディスプレイ
３２Ａ，３２Ｂ…表示面
３４Ａ，３４Ｂ…枠
４０…コントローラー
５０…スピーカー
５２…マイクロフォン
５４…カメラ
５４ａ…レンズ
５６…人感センサー
５８…開閉センサー
６０…香り発生装置
６０ａ…発生口
７０…開閉機構
８０…ルーター
９０…サーバー
９２，９４…カメラ
１１０…システム制御部
１２０…インタフェース（Ｉ／Ｆ）部
１３０…電源駆動部
１４０…メディアリーダー
１５０…データ記憶部
１６０…監視部
１７０…モーター駆動部
１８０Ａ…映像出力部
１８０Ｂ…映像出力部
１９０…音声出力部
２００…映像入力部
２１０…音声入力部
２２０…香り発生駆動部
ＩＮＴ…インターネット
【図１】
2014104232.tif 000003
【図２】
2014104232.tif 000004
【図３】
2014104232.tif 000005
【図４】
2014104232.tif 000006